(57)【要約】  【課題】プリントを自動パッキングするプリント生産システムにおいて、商品としてのプリントパックの陳列や検索、料金計算等の手間を大幅に低減できる画像形成装置、プリントパック陳列棚およびプリント料金計算装置を提供する。  【解決手段】プリントパックに、このプリントパックを識別する識別情報を記憶するＩＣタグを挿入し、ＩＣタグの識別情報を用いたプリントパックの検索や、データベースとの情報のやり取りを行うことにより、前記課題を解決する。【選択図】図３
2006227476.tif 000002
【特許請求の範囲】
【請求項１】
画像データに応じて記録媒体に画像を記録して、前記画像データを再生したプリントを作成する画像形成部と、
前記画像形成部が作成したプリントをまとめて袋詰めしてプリントパックとするパッカーとを有し、
かつ、前記パッカーは、ＩＣタグを前記プリントパックに投入する手段と、前記ＩＣタグの情報を読み取る手段および前記ＩＣタグに情報を記録する手段の少なくとも一方とを有することを特徴とする画像形成装置。
【請求項２】
前記パッカーは、前記プリントとＩＣタグとを、前記プリントパック内の互いに異なる領域に収容する請求項１に記載の画像形成装置。
【請求項３】
前記パッカーは、１つのプリントパックにおいて、同一件のプリントで、このプリントパックに収容されないプリントが有る場合には、このプリントパックに収容するＩＣタグに、このプリントパック以外にもプリントが有る旨の情報を記録する請求項１または２に記載の画像形成装置。
【請求項４】
識別情報が記録されたＩＣタグおよびプリントを収容するプリントパックを複数陳列する少なくとも１つの陳列部と、前記ＩＣタグの情報を読み取る、各陳列部に配置されるＩＣタグリーダと、目的とするプリントパックが存在することを示す出力を行う、各陳列部に配置される出力手段と、識別情報の入力手段とを有し、
前記入力手段に入力された識別情報に応じて、前記ＩＣタグリーダがプリントパックのＩＣタグの識別情報を取得し、前記入力された識別情報を取得できたＩＣタグリーダが対応する前記陳列部の出力手段が、前記目的とするプリントパックが存在することを示す出力を行うことを特徴とするプリントパック陳列棚。
【請求項５】
前記ＩＣタグには、識別情報としてプリントパック毎の受付番号が記録されており、
前記入力手段は、前記プリントパックの受付番号を入力される請求項４に記載のプリントパック陳列棚。
【請求項６】
前記識別情報がＩＣタグに固有のタグＩＤであり、前記入力手段は、前記プリントパックの受付番号を入力され、さらに、プリントパック毎の受付番号と前記タグＩＤとを対応付けして記憶する記憶手段を有し、
前記入力手段に受付番号が入力されたら、前記記憶手段を参照して受付番号に対応するタグＩＤを知見する請求項４に記載のプリントパック陳列棚。
【請求項７】
識別情報が記録されたＩＣタグおよびプリントを収容するプリントパックの前記ＩＣタグの情報を読み取るＩＣタグリーダと、前記ＩＣタグリーダが読み取った情報を用いて、前記プリントパックに収容されるプリントのプリント料金を知見し、出力する出力手段とを有し、
かつ、前記ＩＣタグに記録された情報から、同一件のプリントで、このプリントパックに収容されないプリントが有ることを知見した場合に、このプリントパック以外にもプリントが有ることを報知することを特徴とするプリント料金計算装置。
【請求項８】
同一件のプリントで、このプリントパックに収容されないプリントが有る旨の情報が、前記ＩＣタグに記録されている請求項７に記載のプリント料金計算装置。
【請求項９】
各プリントパックのＩＣタグの識別情報と、このプリントパックに関する情報とを対応付けして記憶するデータベースを有し、かつ、プリントパックに関する情報は、このプリントパック以外にもプリントが有るか否かの情報を含むものであり、
前記ＩＣタグから読み取った識別情報を用いてデータベースを検索して、前記プリントパックに関する情報を用いてプリントパックに収容されないプリントが有ることを知見する請求項７に記載のプリント料金計算装置。
【発明の詳細な説明】
【技術分野】
【０００１】
本発明は、プリントを作成して自動包装してプリントパックとする画像形成に関し、詳しくは、製品としてのプリントパックの検索やプリント料金の計算等を容易にできる画像形成装置、プリントパック陳列棚、およびプリント料金計算装置に関する。
【背景技術】
【０００２】
パーソナルコンピュータ（ＰＣ）やＰＤＡ（Personal Digital Assistance)等の普及に伴い、デジタルカメラの普及率が拡大している。さらに、撮影機能を有する携帯電話も普及している。
デジタルカメラや携帯電話等で撮影された画像は、ＰＣ等に取り込まれて処理され、ホームページや年賀状等の各種の用途に使用されるのが通常である。しかしながら、これらで撮影した画像を高品位な（写真）プリントとして残したいという要望も多い。これに対応して、近年では、ラボ店等の専門の業者によって、デジタルカメラや携帯電話等で撮影された画像からのプリント作成が行われている。
【０００３】
デジタルカメラ等で撮影した画像のプリント作成をプリント業者に注文する場合には、例えば、ラボ店等の店頭や各種商業施設内等に設置されるプリント注文受付機（以下、受付機とする）を用いて行われる。
【０００４】
受付機は、通常、撮影した画像（画像データ）を記憶するメモリーカード、ＩＣカード、ＣＤ−Ｒなどの記録媒体を装填し、あるいは、直接もしくは接続手段を用いてデジタルカメラや携帯電話を接続すると、画像を読み取って、注文画面と共にディスプレイに表示する。
顧客は、タッチパネルとなっているディスプレイや所定の入力方法を用いて、プリント作成する画像、プリントサイズ、画像毎のプリント枚数などの注文情報を入力する。注文が確定して、出力指示が出されると、画像と注文情報とが対応付けされて、例えばラボ店などのサーバや画像処理装置に送られ、此処からデジタルのフォトプリンタに画像が供給されて、注文情報に応じたプリントが作成、出力される。
【０００５】
また、近年では、インターネットなどの通信手段を利用して、写真注文ソフトウエアのインストールやラボ店のホームページの閲覧等によって、自宅のパーソナルコンピュータを受付機として作用させ、通信手段によって画像および注文情報をラボ店等に送って、プリント作成を注文する、いわゆるネット注文も行われている。
【０００６】
従来の写真フィルムからのプリント作成では、ラボ店等の店頭でプリント作成注文を受け付けると、ＤＰ袋と呼ばれる専用の袋に顧客（プリント注文者）の氏名や連絡先（住所、電話番号等）などを記録して写真フィルム（パトローネやカートリッジ等）を収容し、プリント作成を行う際に、ＤＰ袋から写真フィルムを取り出して現像処理を行い、現像済のフィルムを用いて（仕上がり写真）プリントを作成して、プリントと現像済のフィルムとを対応するＤＰ袋に入れて、顧客に返却している。
【０００７】
これに対し、デジタルカメラ等で撮影した画像からのプリント作成では、写真フィルムが存在しない。そのため、出荷時の作業が簡単になり、プリントの作成から包装までの工程を自動化することができる。
例えば、特許文献１には、注文情報が記憶される注文情報記憶部と、（写真）プリントを作成するための画像データ記憶部と、画像データに基づいて感光材料を露光する画像露光部と、注文情報を画像データに変換して画像露光部にって注文情報プリントを感光材料に露光させる注文情報制御部とを有し、かつ、プリント収納袋にプリントおよび注文情報プリントを収納するプリント受け入れ手段を有し、あるいはさらに、注文情報プリントおよび所定数のプリントを収容したプリント収納袋を閉塞する機構を有するデジタルのフォトプリンタ（写真処理機）が開示されている。
【特許文献１】特開２００３−３５９３８号公報
【発明の開示】
【発明が解決しようとする課題】
【０００８】
このように、デジタルカメラ等で撮影した画像からのプリント作成では、フィルムを取り扱わないため、プリント作成から、プリントの袋詰め（以下、プリントを袋詰めしたものをプリントパックとする）までを自動化することができ、ラボ店などにおける手間を大幅に低減することができる。
【０００９】
ところで、このようなプリントパックも含め、プリントを注文した顧客に提供する際には、例えば、プリント（前記プリントパックやプリントを収容するＤＰ袋）を陳列棚に配列しておき、顧客から受け取った引換券の受付番号をもとに、陳列棚から店員がプリントを探して、引換券およびプリント料金と交換でプリントを渡している。あるいは、省力化のために、同様に陳列棚にプリントを配列しておき、顧客が自身のプリントを探して取り出し、レジでプリント料金を清算する方法が取られる場合もある。
【００１０】
いずれの場合であっても、プリントの件数が多い場合には、顧客でも店員でも、陳列棚から目的とするプリントを探し出すのが大変である。また、顧客や店員がプリントを探し易くするには、顧客の名前順や受付番号順など、定められた順番でプリントを配列しておく必要があり、やはり、店員の手間が大変である。
すなわち、現状では、前述のようなプリントパックによってラボ店などにおける手間を大幅に低減することができるものの、作成したプリントパックを手間を掛けずに顧客に提供する技術は、知られていない。
【００１１】
本発明の目的は、前記従来技術の問題点を解決することにあり、（仕上がり写真）プリントの自動包装を行って、プリントパックとして提供するに際し、多数のプリントパックを収容する陳列棚から目的とするプリントパックを容易に探し出すことができ、また、プリント料金の清算も容易に行うことができ、さらに、大サイズプリントを合わせて注文された件や、枚数が多くて１つのプリントパックに入りきらず複数にパックが別れてしまった件など、１つのプリントパック以外にもプリントを有する場合に、商品の取り忘れや渡し忘れも防止することができる画像形成装置、プリントパック陳列棚、およびプリント料金計算装置を提供することにある。
【課題を解決するための手段】
【００１２】
前記目的を達成するために、本発明の画像形成装置は、画像データに応じて記録媒体に画像を記録して、前記画像データを再生したプリントを作成する画像形成部と、前記画像形成部が作成したプリントをまとめて袋詰めしてプリントパックとするパッカーとを有し、かつ、前記パッカーは、ＩＣタグを前記プリントパックに投入する手段と、前記ＩＣタグの情報を読み取る手段および前記ＩＣタグに情報を記録する手段の少なくとも一方とを有することを特徴とする画像形成装置を提供する。
【００１３】
このような本発明の画像形成装置において、前記パッカーは、前記プリントとＩＣタグとを、前記プリントパック内の互いに異なる領域に収容するのが好ましく、さらに、前記パッカーは、１つのプリントパックにおいて、同一件のプリントで、このプリントパックに収容されないプリントが有る場合には、このプリントパックに収容するＩＣタグに、このプリントパック以外にもプリントが有る旨の情報を記録するのが好ましい。
【００１４】
また、本発明のプリントパック陳列棚は、識別情報が記録されたＩＣタグおよびプリントを収容するプリントパックを複数陳列する少なくとも１つの陳列部と、前記ＩＣタグの情報を読み取る、各陳列部に配置されるＩＣタグリーダと、目的とするプリントパックが存在することを示す出力を行う、各陳列部に配置される出力手段と、識別情報の入力手段とを有し、前記入力手段に入力された識別情報に応じて、前記ＩＣタグリーダがプリントパックのＩＣタグの識別情報を取得し、前記入力された識別情報を取得できたＩＣタグリーダが対応する前記陳列部の出力手段が、前記目的とするプリントパックが存在することを示す出力を行うことを特徴とするプリントパック陳列棚を提供する。
【００１５】
このような本発明のプリントパック陳列棚において、前記ＩＣタグには、識別情報としてプリントパック毎の受付番号が記録されており、前記入力手段は、前記プリントパックの受付番号を入力されるのが好ましく、もしくは、前記識別情報がＩＣタグに固有のタグＩＤであり、前記入力手段は、前記プリントパックの受付番号を入力され、さらに、プリントパック毎の受付番号と前記タグＩＤとを対応付けして記憶する記憶手段を有し、前記入力手段に受付番号が入力されたら、前記記憶手段を参照して受付番号に対応するタグＩＤを知見するのが好ましい。
【００１６】
さらに、本発明のプリント料金計算装置は、識別情報が記録されたＩＣタグおよびプリントを収容するプリントパックの前記ＩＣタグの情報を読み取るＩＣタグリーダと、前記ＩＣタグリーダが読み取った情報を用いて、前記プリントパックに収容されるプリントのプリント料金を知見し、出力する出力手段とを有し、かつ、前記ＩＣタグに記録された情報から、同一件のプリントで、このプリントパックに収容されないプリントが有ることを知見した場合に、このプリントパック以外にもプリントが有ることを報知することを特徴とするプリント料金計算装置を提供する。
【００１７】
このような本発明のプリント料金計算装置において、同一件のプリントで、このプリントパックに収容されないプリントが有る旨の情報が、前記ＩＣタグに記録されているのが好ましく、もしくは、各プリントパックのＩＣタグの識別情報と、このプリントパックに関する情報とを対応付けして記憶するデータベースを有し、かつ、プリントパックに関する情報は、このプリントパック以外にもプリントが有るか否かの情報を含むものであり、前記ＩＣタグから読み取った識別情報を用いてデータベースを検索して、前記プリントパックに関する情報を用いてプリントパックに収容されないプリントが有ることを知見するのが好ましい。
【発明の効果】
【００１８】
このような本発明によれば、プリントを袋詰めしてプリントパックとして提供するプリント生産において、プリントと共に、受付番号などの識別情報等を記録したＩＣタグをプリントパックに収容する。
従って、このＩＣタグの情報を用いて、プリントを多数陳列するプリント陳列棚からの目的とするプリントパックの検出や、プリント料金の計算等を、容易かつ自動的に行うことができ、さらに、大サイズプリントを含む件や枚数が多くてプリントパックが複数に別れてしまった件など、１つのプリントパック以外にもプリントを有する場合に、商品の取り忘れや渡し忘れも防止することができる。
すなわち、本発明によれば、プリント作成において、処理を自動化してプリントパックとしてプリントを提供することによる手間の低減に加え、プリントパックの提供や料金清算の手間も大幅に低減することができ、ラボ店などにおける作業効率を大幅に向上することができる。
【発明を実施するための最良の形態】
【００１９】
以下、本発明の画像形成装置、プリントパック陳列棚、および料金計算装置について、添付の図面に示される好適実施例を基に詳細に説明する。
【００２０】
図１は、本発明の画像形成装置、プリントパック陳列棚およびプリント料金計算装置を利用するプリント生産システムの一例を概念的に示すブロック図である。
図示例のプリント生産システム１０（以下、システム１０とする）は、主にデジタルカメラや携帯電話等で撮影された画像（画像データ）から、顧客の注文（注文データ）に応じた（仕上がり写真）プリントを作成し、プリントを収容してなるプリントパックとするもので、一例として、プリント注文受付機１２（以下、受付機１２とする）と、オーダーコントローラ１４と、画像・オーダ情報データベース１６（以下、画像・オーダＤＢ１６とする）と、画像処理装置１７と、プリンタ１８と、プリントパック陳列棚２０と、プライシング装置２２とを有して構成される。
受付機１２、オーダコントローラ１４、画像・オーダＤＢ１６、画像処理装置１７、プリンタ１８、およびプライシング装置２２は、公知のネットワークによって接続されている。また、必要に応じて、プリントパック陳列棚２０も、このネットワークによって接続されてもよいのは、もちろんである。
【００２１】
なお、オーダコントローラ１４、画像・オーダＤＢ１６、画像処理装置１７、およびプリンタ１８は、一体的に構成されてもよく、あるいは、全て別体で構成されてもよく、あるいは、オーダコントローラ１４と画像・オーダＤＢ１６とが一体の構成や、画像・オーダＤＢ１６と画像処理装置１７とプリンタ１８とが一体の構成等であってもよく、オーダコントローラ１４が画像・オーダＤＢ１６に内蔵される等、ある部位が他の部位を内蔵する構成であってもよい。
また、システム１０は、これらの各部位を１以上有してもよい。
【００２２】
受付機１２は、ラボ店の店頭や商業施設等に設置され、デジタルカメラや撮影機能を有する携帯電話等の撮像装置で撮影された画像（画像データ）からのプリント作成の注文を受け付ける、公知のプリント注文受付機である。
【００２３】
すなわち、受付機１２は、顧客（プリント作成の注文者）によって記憶媒体が所定位置に装填され、あるいは、デジタルカメラや携帯電話などの撮像装置が接続されると、これらが記憶している画像（画像データ）を読み出し、ディスプレイに表示し、顧客に、プリントサイズや枚数などのプリント注文のための必要な情報（注文データ）の入力を促す。
顧客による注文が終了したら、受付機１２は、１件（１オーダ）毎に、受付番号（受付ＩＤ）を生成し、画像と注文データと受付番号とを対応付けして、注文データをオーダコントローラ１４に、画像を画像・オーダＤＢ１６に送る。また、１件の注文が終了すると、受付機１２は、受付番号、注文内容、納期、受付番号を示すバーコード等を記載した受付伝票を作成して、出力する。
なお、注文データとしては、受付番号、プリントを作成する画像、プリントサイズ、枚数、納期などのプリント作成のための必須の情報に加え、受付日時、顧客ＩＤ、顧客の氏名、顧客の連絡先（電話番号など）、顧客の住所等が例示される。
【００２４】
また、システム１０においては、店頭等に設置される専用の受付機１２ではなく、自宅などのＰＣ（パーソナルコンピュータ）等から、インターネット等のコンピュータ通信ネットワークを用いてプリント作成を注文する、いわゆるネット注文や、携帯電話からのＥメールでの注文等にも対応可能である。すなわち、この際には、顧客の自宅のＰＣ等がシステム１０のプリント注文受付機となる。この際においては、例えば、ラボ店等が開設しているホームページなどにアクセスして閲覧することで、ＰＣ等をシステム１０のプリント注文受付機として作用させてもよく、専用の注文用ソフトウエアをＰＣ等にダウンロードして、ＰＣ等をシステム１０のプリント注文受付機として作用させてもよい。
これ以外にも、ラボ店等が有するＰＣに専用の注文受付用ソフトウエアをインストールすることで、このＰＣをシステム１０のプリント注文受付機として作用させてもよい。
【００２５】
さらに、システム１０（プリンタ１８）は、受付機１２で受け付けた画像のみならず、写真フィルムをスキャナ（画像読取装置）で読み取って得られた画像（画像データ）からのプリント作成に対応してもよい。
【００２６】
オーダコントローラ１４は、受付機１２から供給された注文データに応じて、オーダーテーブルを作成／更新し、かつ、オーダーテーブルに応じて、受付機１２から供給された注文データを画像・オーダＤＢ１６に送る。
オーダーテーブルとは、各件毎の注文における注文データの内容（プリント枚数や納期等）に応じてオーダーコントローラ１４が決定した、各画像毎のプリント処理順（プリントの作成順）を示すテーブルである。オーダーコントローラ１４は、新しい件の注文データを受け取ったら、その件の納期等を判断して新しい処理順を決定して、オーダーテーブルを更新する。
【００２７】
画像・オーダＤＢ１６は、受付機１２から供給された画像を記憶すると共に、オーダコントローラ１４のオーダテーブルを参照して、オーダテーブルに示された処理順に応じて、画像とオーダコントローラ１４から供給された注文データとを対応付けして、画像処理装置１７に送る。
また、画像・オーダＤＢ１６は、注文データから、１つのプリントパック毎（通常は、１件毎）に、プリントサイズやプリント枚数をまとめた処理情報を生成し、処理情報と受付番号とを対応付けして記憶する。ここで、処理情報には、その件の総パック数の情報、およびパック数に応じた追番が含まれる。例えば、受付番号１００１番の件が１つのプリントパックに納まらず、２つに別れてしまう場合には、１つめのパックの処理情報に「受付番号１００１、総パック数２、追番１」が付され、２つめのパックの処理情報に「受付番号１００１、総パック数２、追番２」が付される。
なお、処理情報には、これ以外にも、注文データに含まれる各種の情報を有してもよいのは、もちろんである。また、画像・オーダＤＢ１６が記憶した画像や処理情報等は、不要になった時点で、適宜、消去すればよい。
【００２８】
画像処理装置１７は、画像・オーダＤＢ１６から供給された画像に、順次、所定の画像処理を施してプリンタ１８での出力に対応するプリント用画像とし、プリント用画像を注文情報と対応付けしてプリンタ１８に送る。なお、画像処理装置１７で施す画像処理には特に限定はなく、画像の拡大／縮小（電子変倍処理）、階調補正、色／濃度補正、彩度補正、シャープネス処理等の公知の各種の画像処理が利用可能である。また、何れの画像処理も、公知の方法で実施すればよい。
さらに、画像処理装置１７は、好ましい態様として、１つのプリントパック毎に、注文データに応じた各種の情報を示した注文プリントを作成するための注文プリント用画像（注文プリント用画像データ）を作成して、そのプリントパックに対応付けして、プリンタ１８に供給する。プリンタ１８への注文プリント用画像の供給は、後述するプリントパック８０内で注文プリント（画像記録面）が表面に出るようにすればよく、例えば、プリンタ１８が裏面排紙である場合には１件の最初に、表面排紙である場合には１件の最後に、注文プリント用画像をプリンタ１８に供給すればよい。
【００２９】
注文プリントの記載内容には、特に限定はなく、顧客自身が注文した件を確実に識別できるものであれば、注文データが有する各種の情報が記載可能である。
図２に、注文プリントの一例を示す。この注文プリントには、注文データに応じて、受付番号、受付日時、顧客ＩＤ、顧客の電話番号（ＴＥＬ）、顧客の住所および氏名、プリントを作成した画像のファイル名と枚数、プリント料金、および、受付番号等を示すバーコードが記載されている。
なお、注文プリントに再生する情報は、これに限定はされず、これ以外にも、プリント店の店名、プリント店の宣伝、プリントのインデックス画像、割引券等が例示される。
【００３０】
さらに、画像処理装置１７は、１つのプリントパック（あるいは１件）の最後の画像（プリント用画像もしくは注文プリント用画像）を供給した後、プリントパック毎の区切りを示すソート情報をプリンタ１８に出力する。
【００３１】
プリンタ１８は、画像処理装置１７から供給されたプリント用画像および注文プリント用画像、ならびに注文データに応じて、感光材料Ａ（印画紙）を露光して潜像を形成し、所定の湿式現像を施して、乾燥して（仕上がり写真）プリントとし、さらに、パッキング（袋詰め包装）してプリントパック８０とするものである。また、プリンタ１８は、各プリントパック８０に、挿入されたプリント（件）の受付番号等を記録したＩＣタグ９０も挿入する。
図示例において、プリンタ１８は、露光部３０と、プロセサ３２と、パッカー３４とを有して構成される。なお、特に説明はしないが、感光材料Ａは、搬送ローラ対等の公知の搬送手段によって、各部位に搬送される。
【００３２】
図示例のプリンタ１８において、露光部３０には、感光材料Ａを巻回してなる感光材料ロール３８を収容するマガジン４０を２個装填可能となっている。
感光材料Ａは、マガジン４０から引き出されて、カッタ４２によってプリントサイズに応じて切断され、バックプリンタ４４によってバックプリントを記録された後、所定の露光位置に供給される。
【００３３】
画像処理装置１７から供給された画像（プリント用画像および注文プリント用画像）は、露光ユニット４６に送られる。
露光ユニット４６は、画像に応じて変調した光ビームＬ（記録光）を主走査方向に偏向して、前記露光位置に入射する。一方、感光材料Ａは、前記露光位置に位置されつつ、主走査方向と直交する副走査方向に走査搬送される。従って、感光材料Ａは、画像に応じて変調された光ビームＬによって二次元的に走査露光され、潜像を記録される。潜像を記録された感光材料Ａは、順次、プロセサ３２に供給される。
【００３４】
プロセサ３２は、現像部４８および乾燥部５０を有して構成される。
露光部３０で潜像を形成され、プロセサ３２に供給された感光材料Ａは、まず、現像部４８において、各処理槽に搬送されて、現像、漂白／定着、水洗の各処理を、順次、行われ、次いで、乾燥部５０においてヒータ等によって乾燥され、搬送部５２を経て、（仕上がり写真）プリントＰとして、パッカー３４（集積部６８）に排出される。
また、プリントパック８０に入らない大きなサイズのプリントは、搬送部５２には搬送せず、乾燥部５０から上方の大サイズプリント排出部５４に排出する。この搬送路の切り替えは、例えば切り替えガイドを用いる方法等の公知の方法で行えばよい。
【００３５】
パッカー３６は、注文データに応じて、プリントを集積してパッキングするもので、包装用シートＳを供給するシート供給部６０と、開口手段６２と、ストッパ６４と、シール・カット部６６と、集積部６８と、製品収容部７０とを有して構成される。また、パッカー３６は、ＩＣタグ挿入部５８およびＩＣタグライタ１０２を有し、各プリントパックに、ＩＣタグ９０を挿入すると共に、このプリントの件に対応する受付番号、総パック数および追番をＩＣタグ９０に記録する。
なお、パッキングは、通常は１件ずつ行うが、１件の枚数が多すぎて、プリントが１つのプリントパックに収容できない場合には、パッカー３６は、１件のプリントパック８０を複数に分けて作成する。
【００３６】
ＩＣタグ挿入部５８は、図４に模式的に示すように、プリントパック８０にＩＣタグ９０を挿入するもので、供給ロール９２と、巻取りロール９４と、ＩＣタグ挿入手段９６とを有して構成される。
ＩＣタグ９０は、アンテナやメモリなどを含むＩＣチップ等を有し、ＩＣタグリーダやＩＣタグライタと無線で接続して情報の送信や受信／記録等を行う、例えばＲＦＩＤ(Radio Frequency IDentification)技術を利用する、公知のＩＣタグである。
【００３７】
図示例において、ＩＣタグ９０は、通常のＩＣチップ等と同様、テープＴ（テープキャリア）に貼着された状態で供給される。テープＴは、ロール状に巻回された状態で、供給ロール９２に装填され、ガイドロール９８および１００に案内されて、ＩＣタグ挿入手段９６を経た所定の経路で搬送され、巻取りロール９４で巻き取られる。
ＩＣタグ挿入手段９６は、テープＴに貼着されたＩＣタグ９０を取り外して、所定の位置に落すことにより、後述するように切込みｃを開放した包装用シートＳにＩＣタグ９０を挿入する。
【００３８】
包装用シートＳは、図５に示すような、２枚のシートを重ね合わせて端部で接着してなる、筒状の透明な長尺シートであって、一面には、１つのプリントパック８０に対応する間隔ｔで、長手方向と直交する方向に延在して切込みｃが形成されている。
【００３９】
シート供給部６０において、包装用シートＳはロール状に巻回されたシートロール７２として、切込みｃを有する面を集積部６８に向けて装填され、ガイドロール７２および搬送ローラ対７６によって、所定の経路を搬送される。
開口手段６２は、包装用シートＳの切込みｃの直下を保持（例えば、吸引による保持）して、包装用シートＳの筒を開く方向（図中矢印ａ方向）に移動することで、包装用シートＳの切込みｃを開口させる。さらに、ファンによる風を上方から切込みｃに吹きつけ、包装用シートＳを膨らませるのが好ましい。
【００４０】
開口手段６２に対向する位置には、ＩＣタグライタ１０２が配置される。
ＩＣタグライタ１０２は、ＩＣタグ９０に受付番号等の所定の情報を記録する、公知のＩＣタグライタである。なお、本発明においては、ＩＣタグライタ１０２に変えて、ＩＣタグへの情報記録機能に加え、ＩＣタグの情報読取機能を有するＩＣタグリーダ・ライタを配置してもよい。また、後述するように、プリントパック８０の識別をＩＣタグ９０に固有の識別情報（タグＩＤ）で行う場合には、ＩＣタグライタに変えて、ＩＣタグリーダもしくはＩＣタグリーダ・ライタを配置する。
【００４１】
開口手段６２およびＩＣタグライタ１０２の下方には、シール・カット部６６が配置される。
シール・カット部６６は、例えば、加熱によって包装用シートＳを融着（シール）かつ切断するもので、包装用シートＳの搬送方向の中心部に幅方向に延在する微細な凸部を有するヒータを有する。また、図示例においては、シール・カット部６６のヒータは、凸部、凸部の上部、凸部の下部で、独立して加熱をコントロールできるようになっている。
【００４２】
図示例において、包装用シートＳは、後述するように下端部８０ａをシールされた状態で、下部を搬送ローラ対７６によって案内され、かつ、開口手段６２によって切込を開放された状態で、ガイドロール７４から垂下した状態で待機している。
この状態で、まず、ＩＣタグ挿入部５８のＩＣタグ挿入手段９６が１つのＩＣタグ９０をテープから剥がして、所定の位置に投入する。ＩＣタグ９０は、ガイド１０８に案内されれて落下し、開放された切込みｃから包装用シートＳ内に投入される。
【００４３】
次いで、シール・カット部６６が、凸部よりも上（もしくは下）のみを加熱して、図４に示すように中間シール部８０ｂを閉塞（シール）する。従って、図示例において、シール・カット部１０２は、この待機状態で包装用シートＳ（プリントパック８０）の中間シール部８０ｂの位置に対応するように配置される。
【００４４】
また、ＩＣタグライタ１０２が、包装用シートＳ内に投入されたＩＣタグ９０に、このプリントパック８０に収容されるプリント（件）の受付番号、総パック数、および追番を記録する。
なお、ＩＣタグ９０に記録する情報は、受付番号等のみに限定はされず、これ以外にも、顧客ＩＤ、プリント枚数、プリント料金等、注文データに応じた各種の情報や注文プリントに記録する各種の情報を記録してもよい。
【００４５】
ここで、例えば、１件のプリントの枚数が１つのプリントパックに収容可能な枚数を超えており、他にもプリントパックが有る場合や、この件の注文にプリントパック８０に収容できない大サイズのプリントが含まれている場合のように、プリントパック８０に収容されるプリントと同一の件で、このプリントパック８０に収容されないプリントが存在する場合には、好ましい態様として、ＩＣタグライタ１０２は、ＩＣタグ９０に、その旨を示す情報（以下、便宜的に「分割情報」とする）を記録する。
なお、分割情報は、注文データから画像・オーダＤＢ１６で生成して、注文データと共に画像・オーダＤＢ１６からプリンタ１８に供給してもよく、１件のプリント作成の処理内容から、プリンタ１８が生成してもよい。
【００４６】
また、必要に応じて、中間シール部８０ｂの閉塞あるいはさらにＩＣタグ９０への情報記録を終了した後に、シートロール７２を回転して、包装用シートＳを下降して所定位置まで送り出してもよい。
【００４７】
一方、搬送部５２から搬送されたプリントＰは、集積部６８に供給される。集積部６８は、下端を前記開口手段６２によって解放された包装用シートＳの切込の開口部に向けて下方に傾斜する斜面で、通常の状態では、下端部のストッパ６４が閉塞しいる。従って、搬送部５２から、供給されたプリントＰは、一旦、集積部６８に集積される。
【００４８】
パッカー３４では、ＩＣタグライタ１０２やシール・カット部６６からの情報によって中間シール部８０ｂの閉塞およびＩＣタグ９０への情報記録が終了していることを確認し、さらに、例えば、前記ソート情報、プリント枚数のカウント、注文プリントの集積部６８への排出等によって、１件（１件の枚数が所定枚数を超える場合は所定枚数）のプリントＰ（注文プリントを含む）が集積部６８に集積されたことを知見すると、ストッパ６４を解放して、次のプリントＰが集積部６８に排出される前にストッパ６４を閉塞する。
これにより、集積部６８内のプリントＰが落下して、開口手段６２で開口された切込みｃから包装用シートＳに収容される。
【００４９】
１件（あるいは所定枚数）のプリントＰが包装用シートＳに収容されると、開口手段６２が包装用シートＳを解放し（あるいはさらにファンを停止して）、次いで、シートロール７２が回転して、切込みｃがシール・カット部６６に至る位置まで、包装用シートＳを送り出す。
【００５０】
前記包装用シートＳの送り出しは、前記凸部が切込みｃと一致する位置で停止する。次いで、シール・カット部６６（その前記ヒータ）が包装用シートＳに押圧され、包装用シートＳを加熱して、切込みｃの上部および下部で包装用シートＳをシール（閉塞）し、かつ、凸部によって切込みｃで包装用シートＳを切断する。
これにより、次にプリントＰを収容する包装用シートＳの下端（シートロール７２に繋がる包装用シートＳの下端）、すなわち次のプリントパック８０の下端８０ａを閉塞し、かつ、１件のプリントＳを収容する包装用シートＳの上端８０ｃを閉塞かつ切断して、１個のプリントパック８０を完成する。
【００５１】
プリントＰおよびＩＣタグ９０を収容するプリントパック８０は、搬送ローラ対７６および７８によって搬送されて、ガイド８２によって案内されて、製品収容部７０に排出される。
なお、プリントＰとＩＣタグ９０とは、図示例のように互いに異なる領域（隔離された空間）に収容するのには限定はされないが、好ましくは、図示例のように、プリントＳとＩＣタグ９０とを、プリントパック８０内の互いに異なる領域に収容することにより、ＩＣタグ９０がプリントＳの中に紛れてしまう、ＩＣタグ９０がプリントＳを損傷してしまう等の不都合を避けることができる。
【００５２】
製品収容部７０に排出されたプリントパック８０は、例えば、オペレータや店員の手によって、プリントパック陳列棚２０に陳列される。
図６に、プリントパック陳列棚２０（以下、陳列棚２０とする）の概念図を示す。
図６は陳列棚２０の上面図であって、図示されるように、陳列部１１０、各陳列部１１に配置されるＩＣタグリーダ１１２ならびに表示部１１４、バーコードリーダ１１６、キーボード１１８、および、陳列棚２０の動作を制御する制御手段（図示省略）とを有して構成される。
【００５３】
図示例の陳列棚２０は、一例として、５つ（５列）の陳列部１１０を有し、図中一番左の陳列部１１０に点線で示すように、陳列部１１０の配列方向と直交する方向に積層するような状態で、プリントパック８０を収容する。従って、例えば、１つの陳列部１１０に約５０個のプリントパックが収容可能であれば、陳列棚２０は、合計で約２５０個のプリントパック８０を収容できる。
なお、各陳列部１１０には、自身に収容されるプリントパックのＩＣタグ９０からの信号や、自身に配置されるＩＣタグリーダ１１２からの信号が、隣接する陳列部１１０に行かないように、信号の遮蔽手段（シールド）が設けられている。
【００５４】
各陳列部１１０に配置されるＩＣタグリーダ１１２は、プリントパック８０のＩＣタグ９０と信号のやり取り等を行って、ＩＣタグ９０に記録された情報を読み取る、公知のＩＣタグリーダである。
なお、図示例においては、ＩＣタグリーダ１１２は、各陳列部１１０に１つであるが、本発明は、これに限定はされず、陳列部１１０の大きさ等に応じて、必要であれば１つの陳列部１１０に複数のＩＣタグリーダ１１２を配置してもよい。また、ＩＣタグリーダ１１２や後述する表示部１１４は、必要に応じて数を増やすことにより、プリントパック８０の陳列位置の範囲をより狭く指定でき、陳列棚２０からのプリントパック８０の検出をより迅速にできる。
【００５５】
同様に、各陳列部１１０に対応して配置される表示部１１４は、制御手段の指示に応じて、自身が対応する陳列部１１０に目的とするプリントパック８０が存在する旨を表示するものである。
このような表示部１１４は、「この列にお客様のプリントが有ります」等の表示をするディスプレイであってもよく、あるいは、目的とするプリントパックの存在を示す単なるランプ（例えば、通常は消灯しており、点灯や点滅で存在を示す）であってもよい。また、表示部１１４の表示に加えて目的とするプリントパック８０が存在する旨の音声出力を行ってもよく、表示に変えて音声出力のみを行ってもよい。
【００５６】
さらに、バーコードリーダ１１６は、公知のバーコードリーダであり、キーボード１１８も、テンキーなどのを有する公知のキーボードである。
【００５７】
以下、陳列棚２０の作用を説明することにより、本発明のプリントパック陳列棚について、より詳細に説明する。
この陳列棚２０は、一例として、スーパーマーケットやラボ店の店内等において、顧客が自身が、注文したプリントを収容するプリントパック８０を探し出すものである。なお、以下に説明する操作を店員等が行って、顧客にプリントパック８０を手渡ししてもよいのは、もちろんである。
【００５８】
プリンタ１８の製品収容部７０に排出されたプリントパック８０は、店員やオペレータによって取り出され、陳列棚２０の任意の陳列部１１０の任意の位置に収容される。
すなわち、店員は、受付番号や顧客の名前等に応じたプリントパック８０の配列を考慮することなく、空き具合等に応じて、適当な陳列部１１０の適当な位置にプリントパック８０を収容すればよい。
【００５９】
一方、プリントを取りに来た顧客は、受付伝票を見て、陳列棚２０のキーボード１１８を用いて受付伝票に示される受付番号を入力する。あるいは、バーコードリーダ１１６によって、受付伝票のバーコードを読み取らせ、受付番号を入力する。
【００６０】
入力された受付番号は、陳列棚２０の制御手段に供給される。制御手段は、各ＩＣタグリーダ１１２に受付番号を供給すると共に、ＩＣタグ９０への問い合わせを指示する。これに応じて、各ＩＣタグリーダ１１２は、受付番号および受付番号が一致した場合の返信指示を含む信号をＩＣタグ９０に発信する。
信号を受けたＩＣタグ９０は、自身に記録された受付番号を確認する。受付番号が一致しないＩＣタグ９０は、当然、何の作用もしない。これに対して、受付番号が一致したＩＣタグ９０は、返信指示に応じて、ＩＣタグリーダ１１２に所定の信号、例えば、受付番号、総パック数および追番を返信する。一例として、前記受付番号１００１の１パック目で有れば、「１００２−２−１」の信号を返信する。
【００６１】
返信信号を受信したＩＣタグリーダ１１２は、自分が、ＩＣタグ９０から所定の返信信号を受信している旨の情報を制御手段に送る。
これに応じて、制御手段は、返信信号を受けたＩＣタグリーダ１１２が配置された陳列部１１０の表示部１１４に、前述のように、この陳列部１１０に目的とするプリントパック８０が存在する旨の表示を行う。また、追番より、２つのパックの内の１パック目であることも判断できるので、それに応じた情報を表示部１１４に表示してもよい。
【００６２】
この表示を見た顧客が、この陳列部１１０から目的とするプリントパック８０を探して、取り出すと、ＩＣタグリーダ１１２は、返信信号を受信できなくなるので、返信信号を受信している旨の情報を制御手段に送ることを停止する。
これに応じて、制御手段は、対応する表示部１１４における表示を停止する。
【００６３】
以上の例では、ＩＣタグリーダ１１２は、受付番号を含む返信指示をＩＣタグ９０に送信したが、本発明は、これに限定はされず、例えば、受付番号を返信する旨の信号をＩＣタグ９０に送るようにしてもよい。
【００６４】
先の例と同様、陳列棚２０に受付番号が入力され、制御手段に受付番号が供給されると、制御手段は、各ＩＣタグリーダ１１２に、受付番号と共に、ＩＣタグ９０に受付番号の問い合わせ信号を送る指示を出す。
これに応じて、ＩＣタグリーダ１１２は、ＩＣタグ９０に対して、受付番号の問い合わせ信号（記録された受付番号の発信を指示する信号）を送信する。
問い合わせ信号を受けたＩＣタグ９０は、これに応じて、記録された受付番号等を返信する。なお、この際には、複数のＩＣタグ９０による返信の衝突を回避するために、ＩＣタグは、信号を受信してから送信するまでの時間をランダムに決定（あるいは変更）できるようにしておくのが好ましい。
【００６５】
制御手段から供給された受付番号の返信信号を受けたＩＣタグリーダ１１２は、自分が、この受付番号の信号を受けている旨の情報を制御手段に送る。
以下、先の例と同様に、制御手段は、対応するＩＣタグリーダ１１２が配置された陳列部１１０の表示部１１４に、目的とするプリントパック８０が存在する旨の表示を行う。
【００６６】
なお、このような各種の作用は、いずれも、ＩＣタグやＩＣタグリーダ等を用いる公知の方法で実施すればよい。
【００６７】
以上の説明より明らかなように、本発明によれば、多数のプリントパックを陳列する場合であっても、受付番号や顧客の名前等に応じた配列を全く気にすることなく、空き具合等に応じて、適当な陳列部１１０の適当な位置にプリントパック８０を収容すればよいので、店側では、プリントパックの陳列の手間を、大幅に低減できる。
また、顧客は、受付番号を入力するだけで、表示に応じた陳列部１１０のみで自分が依頼したプリントパック８０を探せば良いので、多数のプリントパック８０が陳列された陳列棚２０から、自分のプリントパックを容易に探し出すことができる。
【００６８】
陳列棚２０から取り出されたプリントパック８０は、例えばスーパーマーケットや店舗のレジ等において、プリント料金の清算のためにプライシング装置２２に供される。
図１のブロック図に模式的に示すように、プライシング装置２２は、ＩＣタグリーダ１３０と、プライシング処理手段１３２と、価格マスターＤＢ（データベース）１３４と、表示手段１３６と、伝票印刷手段１３８とを有して構成される。
【００６９】
図示例において、ＩＣタグリーダ１３０は、先のＩＣタグリーダ１１２と同様の公知のＩＣタグリーダである。
プライシング処理手段１３２は、料金計算やプライシング装置２２の動作制御等を行うものであり、価格マスターＤＢ１３４は、各サイズのプリントのプリント料金等を記憶するデータベースである。プライシング処理手段１３２に関しては、後に詳述する。
表示手段１３６は、ＬＣＤ等の公知のディスプレイを用いる表示手段で、伝票印刷手段１３８も、ドットインパクトプリンタ等の公知のプリンタである。
【００７０】
以下、プライシング装置２２の作用について説明することにより、本発明のプリント料金計算装置について、より詳細に説明する。
レジ等にプリントパックが持ち込まれ、店員等の手でプリントパック８０がプライシング装置２２（そのＩＣタグリーダ１３０による読み取り領域）に近づけられると、ＩＣタグリーダ１３０がＩＣタグ８０に記録されている情報を読み取り、読み取った情報をプライシング処理手段１３２に送る。
プライシング処理手段１３２は、供給された情報から、このＩＣタグ８０に記録された受付番号を知見し、この受付番号を画像・オーダＤＢ１６に送り、処理内容を問い合わせる。前述のように、画像・オーダＤＢ１６は、１個のプリントパック毎にプリントサイズやプリント枚数等をまとめた処理情報を生成し、受付番号と対応付けして記憶している。画像・オーダＤＢ１６は、問い合わせのあった受付番号に対応する処理情報をプライシング処理手段１３２に送る。
【００７１】
プライシング処理装置１３２は、処理情報から、このプリントパック８０には、どのサイズのプリントが、それぞれ何枚有るのかを知見し、価格マスターＤＢ１３４を参照して、料金計算を行い、表示手段１３６に料金を表示し、かつ、伝票印刷手段１３８で料金伝票を印刷／出力する。なお、表示／印刷するのは、料金のみに限定はされず、さらにプリントサイズやプリント枚数等、処理情報に含まれる各種の情報を表示および／または印刷してもよい。
【００７２】
ここで、前述のように、プリント枚数が１つのプリントパック８０に収容可能な枚数を超えている場合や、プリントパック８０に収容できない大サイズのプリントが含まれている場合のように、プリントパック８０に収容されるプリントと同一の件で、このプリントパック８０に収容されないプリントが存在する場合には、ＩＣタグ９０に分割情報が記録されている。
プライシグ処理手段１３２は、ＩＣタグリーダ１３０が読み取った情報の中に、分割情報が含まれていた場合には、料金等に加え、この件には、プライシング装置２２に供給されたプリントパック８０以外にも商品が有る旨を表示手段１３６に表示し、および／または、その旨を音声出力し、店員や顧客に知らせる。また、プライシグ処理手段１３２は、ＩＣタグ９０に記録された総パック数や追番から、一件のパック数が足りないことを判断して、同様の警告を出力してもよい。すなわち、本例においては、総パック数や追番も分割情報として作用している。
【００７３】
以上の説明より明らかなように、本発明によれば、プリントパックの料金計算を容易に行うことができると共に、枚数が多くて１件が複数のプリントパックに別れてしまった場合や、１件の中にプリントパックに収容できない大サイズのプリントが存在する場合でも、このプリントパック以外の商品の取り忘れを防止できる。
【００７４】
なお、以上の例では、分割情報をプリントパック８０のＩＣタグ９０に記録していたが、本発明は、これに限定はされない。
例えば、前述のように生成した分割情報を、処理情報に対応付けして画像・オーダＤＢ１６に記憶しておく。前述のように、プライシング処理手段１３２から受付番号による処理内容の問い合わせを受けた画像・オーダＤＢ１６は、処理情報と共に、分割情報もプライシング処理手段１３２に送る。
以下同様に、プライシング処理手段１３２は、処理情報に応じた料金計算および表示・伝票出力と共に、このプリントパック８０以外にも商品が有る旨の表示を表示手段１３６に表示する。
【００７５】
以上の例では、プリントパック８０のＩＣタグ９０に受付番号を記録しているが、本発明は、これに限定はされず、ＩＣタグ９０に予め記録されている固有の識別番号（タグＩＤ）を用いて、同様の処理を行うようにしてもよい。
【００７６】
この際には、前述のように、プリンタ１８のパッカー３４に、ＩＣタグライタ１０２に変えてＩＣタグリーダを配置し（あるいは、先のように分割情報等をＩＣタグ９０に記録する場合にはＩＣタグリーダ・ライタを配置し）、プリントパック８０にＩＣタグ９０を封入する際に、ＩＣタグ９０に記録されているタグＩＤを読み取る。
パッカー３４（プリンタ１８）は、読み取ったタグＩＤを、このプリントパック８０に挿入するプリントの受付番号と対応付けして、画像・オーダＤＢ１６に送る。
タグＩＤおよび受付番号を受け取った画像・オーダＤＢ１６は、対応している受付番号を検索して、受付番号にタグＩＤを対応付けして記憶する。
【００７７】
プリント陳列棚２０においては、前述のように、受付番号を入力されたら、画像・オーダＤＢ１６に問い合わせて、受付番号に対応するタグＩＤを取得する。すなわち、この態様においては、プリント陳列棚２０は、前記ネットワークに接続される必要が有る。
以下、このタグＩＤを用いて、先と同様に、各陳列部１１０のＩＣタグリーダ１１２がプリントパック８０のＩＣタグ９０に問い合わせを行い、対応する返信を受けたＩＣタグリーダ１１２の陳列部１１０の表示部１１４に表示を行う。
【００７８】
他方、プライシング装置２２では、ＩＣタグリーダ１３０が読み取ったタグＩＤを、プライシング処理手段１３２が画像・オーダＤＢ１６に送り、処理内容を問い合わせる。
画像・オーダＤＢ１６では、まず、タグＩＤに対応する受付番号を知見し、次いで、この受付番号に対応する処理情報をプライシング処理手段１３２に送る。以下同様に、プライシング処理手段１３２が、処理情報から料金演算を行い、プリント料金を表示手段１３６に表示し、伝票の印刷を行う。
【００７９】
また、本発明においては、画像・オーダＤＢ１６に問い合わせるのではなく、ＩＣタグにプリント枚数等の処理情報を記録しておいて、プライシング装置２２で料金計算してもよく、あるいは、ＩＣタグ９０に料金の情報を記録しておいて、プライシング装置２２で料金の表示等を行ってもよい。
【００８０】
以上、本発明の画像形成装置、プリントパック陳列棚およびプリント料金計算装置について詳細に説明したが、本発明は上記実施例に限定はされず、本発明の要旨を逸脱しない範囲において、各種の改良や変更を行ってもよいのは、もちろんである。
例えば、以上の例では、プリンタ１８（画像形成装置）として、感光材料（印画紙）を像様露光して潜像を形成し、所定の湿式現像処理を行う写真プリンタを用いているが、本発明は、これに限定はされず、インクジェットプリンタ、電子写真プリンタ等、公知のプリンタが各種利用可能である。
【図面の簡単な説明】
【００８１】
【図１】本発明の画像形成装置、プリントパック陳列棚およびプリント料金計算装置を利用するプリント生産システムを概念的に示すブロック図である。
【図２】注文プリントの一例の概念図である。
【図３】図１に示すプリンタの概念図である
【図４】プリントパックの一例の概念図である。
【図５】包装用シートの一例の概略斜視図である。
【図６】図１に示すプリントパック陳列棚の一例の概念図である。
【符号の説明】
【００８２】
１０  （プリント）生産システム
１２  （プリント注文）受付機
１４  オーダーコントローラ
１６  画像・オーダＤＢ（画像・オーダ情報ＤＢ）
１８  プリンタ
２０  プリントパック陳列棚
２２  プライシング装置
３０  露光部
３２  プロセサ
３４  パッカー
３８  感光材料ロール
４０  マガジン
４２  カッタ
４４  バックプリンタ
４６  露光ユニット
４８  現像部
５０  乾燥部
５２  搬送部
５４  大サイズプリント排出部
５８  ＩＣタグ挿入部
６０  包装用シート供給部
６２  開口手段
６４  ストッパ
６６  シール・カット部
６８  集積部
７０  製品収容部
７２  シートロール
７４  ガイドロール
７６，７８  搬送ローラ対
８０  プリントパック
８２，１０８  ガイド
９０  ＩＣタグ
９２  供給ロール
９４  巻取りロール
９６  ＩＣタグ挿入手段
９８，１００  ガイドロール
１０２  ＩＣタグライタ
１１０  （プリントパック）陳列部
１１２，１３０  ＩＣタグリーダ
１１４  表示部
１１６  バーコードリーダ
１１８  キーボード
１３２  プライシング処理手段
１３４  価格マスタＤＢ（データベース）
１３６  表示手段
１３８  伝票印刷手段
【図１】
2006227476.tif 000003
【図２】
2006227476.tif 000004
【図３】
2006227476.tif 000005
【図４】
2006227476.tif 000006
【図５】
2006227476.tif 000007
【図６】
2006227476.tif 000008